(57)【特許請求の範囲】
【請求項１】
浴室内の一側に浴槽が設置され、浴室内の他側が洗い場になされ、浴槽と対向する洗い場の縁辺の左右両側に側壁が設けられ、移乗ボードが前記一方の側壁と浴槽との間に設置された浴室であって、
浴槽は移乗ボードを左右の側壁のいずれの側に設置しても設置可能になされ、左右の側壁のそれぞれの裏面側には、２本の補強フレームが左右間隔を開けて上下方向に連続して設けられ、いずれの補強フレームも２個の取付け具を介して移乗ボードを固定可能になされ、前記移乗ボードは、表面と裏面が共に略平滑な面で形成され、いずれの面を表に向けても使用可能になされていることを特徴とする浴室。
【請求項２】
前記取付け具は、水平取付け部と、この水平取付け部の一側から下方に垂下し側壁に取り付けられる垂直部と、前記水平取付け部と垂直部とに斜交する斜材とからなる取付け具本体と、複数本の固定用ビスとからなり、前記移乗ボードの両側部には、表面から裏面に貫通するビス孔が形成され、このビス孔の両側に座ぐり孔が形成されていることを特徴とする請求項１記載の浴室。
【発明の詳細な説明】
【０００１】
【発明の属する技術分野】
本発明は、高齢により身体機能が低下した人、及び疾病等により片麻痺等の身体的ハンディキャップを負う人等の使用に適する浴室に関する。
【０００２】
【従来の技術】
従来、特許第２８６５５４２号公報に記載されているような浴室が知られている。
【０００３】
上記公報記載の浴室には、腰掛け部と取着部とが連接された平面形状が略Ｌ字状の移乗ボードが、浴槽と側壁との間に設けられた凹溝に、取着部を嵌合して取着されている。上記移乗ボードは、平面形状が略Ｌ字状であるから、腰掛け部を浴槽の洗い場側の壁に沿わせて広くでき、高齢者等が洗い場から浴槽内に入る際に一旦腰掛け部に腰掛け、次いで、身体を回転しながら浴槽の洗い場側の壁を跨いで浴槽内に入ることができる。このため、高齢者等の浴槽内への出入りが容易となり安全に入浴できる。
【０００４】
【発明が解決しようとする課題】
上記公報記載の浴室において、移乗ボードの取付け方向は浴槽に向かって左側である。これは、利き手が左手の人の場合であって、利き手は右手が多いので、移乗ボードの取付け方向は浴槽に向かって右側とするのが一般的である。しかし、脳梗塞、脳溢血等の脳血管障害等により、利き手側である右手に麻痺が発生した場合、移乗ボードの取付け方向を浴槽に向かって左側に変更する必要が出てくる。このような移乗ボードの左側設置のためには、移乗ボード設置側の壁の裏面側に補強材を設ける等の変更工事が必要となり、これには壁の解体等多額の費用が発生するという問題があった。戸建ての場合には、上記変更は１回程度で済むが、高齢者用のシニアハウスやケア付きマンション等の場合には、入居者が変わるたびに変更工事と部材の手配が必要となる。
【０００５】
そこで、本発明の目的は、上記の問題点を解消し、移乗ボードの設置方向を容易に変更できる浴室を提供することを目的とする。
【０００６】
【課題を解決するための手段】
請求項１記載の発明は、浴室内の一側に浴槽が設置され、浴室内の他側が洗い場になされ、浴槽と対向する洗い場の縁辺の左右両側に側壁が設けられ、移乗ボードが前記一方の側壁と浴槽との間に設置された浴室であって、浴槽は移乗ボードを左右の側壁のいずれの側に設置しても設置可能になされ、左右の側壁のそれぞれの裏面側には、２本の補強フレームが左右間隔を開けて上下方向に連続して設けられ、いずれの補強フレームも２個の取付け具を介して移乗ボードを固定可能になされ、前記移乗ボードは、表面と裏面が共に略平滑な面で形成され、いずれの面を表に向けても使用可能になされていることを特徴とする。
【０００７】
請求項２記載の発明は、請求項１記載の浴室において、前記取付け具は、水平取付け部と、この水平取付け部の一側から下方に垂下し側壁に取り付けられる垂直部と、前記水平取付け部と垂直部とに斜交する斜材とからなる取付け具本体と、複数本の固定用ビスとからなる取付け具本体と、複数本の固定用ビスとからなり、前記移乗ボードの両側部には、表面から裏面に貫通するビス孔が形成され、このビス孔の両側に座ぐり孔が形成されていることを特徴とする。
【０００８】
（作用）このように構成された請求項１記載のものでは、浴槽は移乗ボードを左右の側壁のいずれの側に設置しても設置可能になされ、左右の側壁のそれぞれの裏面側には補強フレームが設けられ、いずれの補強フレームも移乗ボードを固定可能になされているので、以下のようにすれば、移乗ボードの設置方向を容易に変更できる。すなわち、移乗ボードを右の側壁の側に設置する場合、移乗ボードを右の側壁の裏面側に設けた補強フレームに固定すればよい。上記の移乗ボードを左の側壁の側に設置変更する場合、移乗ボードを右側の側壁から取り外し、浴槽を右の側壁の側に移動する。そして、取り外した移乗ボードを左の側壁と浴槽との間に挿入し、左の側壁の裏面側に設けた補強フレームに固定すればよい。
【０００９】
さらに、前記移乗ボードは、表面と裏面が共に略平滑な面で形成され、いずれの面を表に向けても使用可能になされているので、移乗ボードを右から左の側壁に変更する際、移乗ボードを裏返して取り付ければ、左側設置用の別の移乗ボードに交換する必要はない。
【００１０】
【発明の実施の形態】
以下、本発明の実施の形態について図面を参照しながら詳細に説明する。図１〜図８は本発明の一実施の形態であって、図１は壁の一部を切り欠いて示す浴室の斜視図であり、図２は別タイプの移乗ボードを設けた浴室の斜視図であり、図３は図１に示す移乗ボードの（イ）は平面図、（ロ）は断面図である。図４は取付け具の斜視図であり、図５は移乗ボードの取付け状態を示す断面図であり、図６は図５のＡ部を拡大して示す断面図である。図７は浴槽に入るときの入浴方法の説明図であり、図８は浴槽から出るときの説明図である。
【００１１】
本実施の形態の浴室１は、図１に示すように、浴室内の一側に浴槽２が設置され、浴室内の他側が洗い場３になされている。洗い場３を挟んで浴槽２と対向する洗い場３の縁辺には、正面壁４が立設され、正面壁４と対向して浴槽２側には背面壁５が立設されている。浴槽２に向かって左側には左側壁６が設けられ、右側には右側壁７が設けられ、右側壁７と浴槽２との間に移乗ボード８が設置されている。出入口（不図示）は、正面壁４または左側壁６の洗い場側に設けられている。
【００１２】
浴槽２は、平面視矩形状になされ、本実施の形態では、左側短辺が左側壁６と接するようにし、奥側長辺が背面壁５と接するように設置されている。浴槽２は、移乗ボード８を左右の側壁６，７のいずれの側に設置しても設置可能になされており、右側短辺を右側壁７と接するように配置してもよい。
【００１３】
右側壁７と浴槽２の短辺側との間には隙間Ｓが形成され、この隙間Ｓに移乗ボード８が設置されている。移乗ボード８の上面は、浴槽２の上面と略同一面にて連続している。洗い場３に面する右側壁７には、移乗ボード８に隣接して湯桶カウンター９が設けられ、この湯桶カウンター９の上方に水洗金具１０とＵ字状の手摺り１１とが設けられている。移乗ボード８と洗い場３間の移乗ボード８下方には、目隠し板１３が設けられ、浴槽２の前面と略面一になされている。
【００１４】
左側壁６と右側壁７のそれぞれの裏面側には、これら側壁６，７を補強するように、２本の補強フレーム２０，２０が左右間隔を開けて上下方向に設けられている。いずれの補強フレーム２０も、移乗ボード８を左右の側壁６，７のいずれの側に設置しても固定可能なようになされている。補強フレーム２０は、木製の角材で形成されているが、断面Ｃ字状またはＬ字状等の形鋼で形成されていてもよい。
【００１５】
移乗ボード８は、ＦＲＰ製であって、表面と裏面が共に略平滑面で形成され、いずれの面を表に向けても使用可能になされている。移乗ボード８は、図３に示すように、平面形状が略Ｌ字状になされており、上記隙間Ｓに挿入される長方形の取付け部８２と、取付け部８２の一側から洗い場３側に突出する略３角形の腰掛け部８１とからなる。略３角形の腰掛け部８１の斜辺に相当する外周は、なめらかな円弧形状になされ、腰掛け部８１と取付け部８２とが交差する入隅部に、浴槽２の角部を挿入して取り付けられる。移乗ボード８の両側部の各２ヵ所には、表面から裏面に貫通するビス孔８４が形成され、このビス孔８４の表面側と裏面側は、周囲が座ぐりされ、両側に座ぐり孔８３，８３が形成されている。
【００１６】
上記移乗ボード８の代わりに、図２に示すように、平面形状が略台形の移乗ボード８Ａであってもよい。略台形の移乗ボード８Ａの斜辺は、なだらかな円弧形状になされている。
【００１７】
移乗ボード８は、取付け具３０を介して、補強フレーム２０に固定されている。取付け具３０は、図４に示すように、取付け具本体３１と、２本の固定用ビス４０と、別の２本の固定用ビス５０とを備えて構成されている。取付け具本体３１は、移乗ボード８の裏面側を支持して取り付ける水平取付け部３２と、水平取付け部３２の一側から下方に垂下し側壁６または側壁７に取り付けられる垂直部３３と、水平取付け部３２と垂直部３３とに斜交する斜材３４とからなる。
【００１８】
水平取付け部３２には、ビス５０を挿通するビス孔３２１が２ヵ所に形成され、垂直部３３には、固定用ビス４０を挿通する通孔３３１が２ヵ所に形成されている。
【００１９】
固定用ビス４０は、頭部４１と、先端部がドリル付きの軸部４２とからなるセルフタッピングビスであるが、ハンガーボルトであってもよい。ハンガーボルトとは、軸部と、軸部の先端部に回転自在に取り付けられた係止部とからなり、取付け挿入時には軸部と係止部とがＩ字状になされ、挿入後には係止部が９０度回転してＴ字状になされ、Ｔ字状の係止部を補強フレーム２０から突出させて係止できるようになっている。
【００２０】
上記の取付け具３０を介して移乗ボード８を右側壁７の裏面側に設けられた補強フレーム２０に固定する固定方法を、図５と図６を参照して説明する。まず、取付け具本体３１を、図５に示すように、裏面側の補強フレーム２０の位置に合わせる。そして、移乗ボード８の上面が浴槽２の上面と略面一となるように、取付け具本体３１の高さ位置を合わせる。その後、通孔３３１に固定用ビス４０の軸部４２を挿入し、電動ドリルで軸部４２を垂直部３３と右側壁７を貫通させ、軸部４２の先端を補強フレーム２０に螺入し、頭部４１を通孔３３１の周りに係止して固着する。
【００２１】
上記のようにして補強フレーム２０，２０の位置に合わせて、２つ一組の取付け具本体３１，３１を右側壁７に取り付けた後、これら取付け具本体３１の水平取付け部３２に移乗ボード８を載置する。そして、表面側からビス５０をビス孔８４に挿入し、ビス５０の頭部を座ぐり孔８３の中に収め、ビス５０の軸部先端を水平取付け部３２のビス孔３２１から突出させ、ナット５１で下側から固着する。最後に、座ぐり孔８３にゴムキャップ６０を取り付け、座ぐり孔８３を覆う。
【００２２】
移乗ボード８を左側壁６の裏面側に設けられた補強フレーム２０に固定する場合も、上記右側壁７の場合と同様にしてなされる。
【００２３】
上記構成の浴室１における入浴方法を、図７と図８を参照して説明する。図７と図８においては、右半身は健康であるが、左半身が麻痺した人の入浴方法であって、浴槽２に入るときを図７に示し、浴槽２から出るときを図８に示している。
【００２４】
浴槽２に入るとき、図７（イ）に示すように、健康な右側から浴槽２に入れるように移乗ボード８の上に座り、身体を安定させながら右足を浴槽２に入れる。そして、（ロ）に示すように、左足を入れて、背面壁５の手摺り１２を掴みながら、移乗ボード８の中央に身体を寄せ、（ハ）に示すように、手摺り１２を持って、一度立ち上がり身体を安定させ、その後、腰を降ろして浴槽２に浸かる。
【００２５】
浴槽２から出るとき、図８（イ）に示すように、手摺り１２を掴み、足を手前に引き寄せてから前傾して立ち上がり、移乗ボード８に座る。その後、（ロ）に示すように、身体を安定させながら、左足を右手で持ち上げ浴槽２の外側に出て、（ハ）に示すように、両足が浴槽２の外側に出てから、浴槽２の縁に手をついて立ち上がり、シャワーチェアー等に座る。
【００２６】
（実施の形態の作用）このように構成された本実施の形態の浴室１によると、浴槽２は移乗ボード８を左右の側壁６，７のいずれの側に設置しても設置可能になされ、左右の側壁６，７のそれぞれの裏面側には補強フレーム２０が設けられ、いずれの補強フレーム２０も移乗ボード８を固定可能なようになされているので、以下のようにすれば、移乗ボード８の設置方向を容易に変更できる。すなわち、移乗ボード８を右側壁７の側に設置する場合、移乗ボード８を右側壁７の裏面側に設けた補強フレーム２０に固定すればよい。上記の移乗ボード８を左側壁６の側に設置変更する場合、移乗ボード８を右側壁７から取り外し、浴槽２を右側壁７の側に移動する。そして、取り外した移乗ボード８を左側壁６と浴槽２との間に挿入し、左側壁６の裏面側に設けた補強フレーム２０に固定すればよい。
【００２７】
さらに、前記移乗ボード８は、表面と裏面が共に略平滑な面で形成され、いずれの面を表に向けても使用可能になされているので、移乗ボード８を右側壁７から左側壁６に変更する際、移乗ボード８を裏返して取り付ければ、左側設置用の別の移乗ボードに交換する必要はない。
【００２８】
以上、本発明の実施の形態を図面に基づいて説明したが、本発明は、この実施の形態に限られるものではなく、本発明の要旨を変更しない範囲の設計変更があっても本発明に含まれる。
【００２９】
【発明の効果】
このように構成された請求項１記載のものでは、その人に合わせて移乗ボードの設置方向を容易に変更できる。
【００３０】
さらに、移乗ボードを例えば右側から左側の側壁に変更する際、移乗ボードを裏返して取り付ければ、左側設置用の別の移乗ボードに交換する必要はない。
【図面の簡単な説明】
【図１】本発明の一実施の形態であって、壁の一部を切り欠いて示す浴室の斜視図である。
【図２】別タイプの移乗ボードを設けた浴室の斜視図である。
【図３】図１に示す移乗ボードの（イ）は平面図、（ロ）は断面図である。
【図４】取付け具の斜視図である。
【図５】移乗ボードの取付け状態を示す断面図である。
【図６】図５のＡ部を拡大して示す断面図である。
【図７】浴槽に入るときの入浴方法の説明図である。
【図８】図８は浴槽から出るときの説明図である。
【符号の説明】
１  浴室
２  浴槽
３  洗い場
６，７  側壁
８  移乗ボード
８３  座ぐり孔
８４  ビス孔
２０  補強フレーム
３０  取付け具
３１  取付け具本体
３２  水平取付け部
３３  垂直部
３４  斜材
４０，５０  固定用ビス
【図１】
0004102097.tif 000002
【図２】
0004102097.tif 000003
【図３】
0004102097.tif 000004
【図４】
0004102097.tif 000005
【図５】
0004102097.tif 000006
【図６】
0004102097.tif 000007
【図７】
0004102097.tif 000008
【図８】
0004102097.tif 000009